(57)【要約】【課題】風雪が通気口から侵入することで、送風機がファンロックして駆動出来ないと言う不具合を防止した室外ユニットの防雪カバーを提供する。【解決手段】圧縮機２と空気熱交換器５と送風機６を内装した室外ユニット１の該送風機６の通気口９には、外方に突出し上面１１及び正面１２は閉塞され、両側面１３は開口１４されると共に下面１５には連通口１６を形成した防雪カバー１０を備えたもので、前記防雪カバー１０には両側面１３の開口１４及び下面１５の連通口１６を、先端側から徐々に外方に広がりながら途中まで覆うウイング１７をそれぞれ備え、正面視では全周が覆われているが、側面視では両側面１３及び下面１５のウイング１７と室外ユニット１との間に通気隙間１８が形成されているようにしたことで、風雪の通気口９への侵入を確実に防止することが出来るものである。【選択図】  図３
2010266137.tif 000002
【特許請求の範囲】
【請求項１】
圧縮機と空気熱交換器と送風機を内装した室外ユニットの該送風機の通気口には、外方に突出し上面及び正面は閉塞され、両側面は開口されると共に下面には連通口を形成した防雪カバーを備えたものに於いて、前記防雪カバーには両側面の開口及び下面の連通口を、先端側から徐々に外方に広がりながら途中まで覆うウイングをそれぞれ備え、正面視では全周が覆われているが、側面視では両側面及び下面のウイングと室外ユニットとの間に通気隙間が形成されているようにした事を特徴とする室外ユニットの防雪カバー。
【発明の詳細な説明】
【技術分野】
【０００１】
この発明は、送風機の通気口からの雪の侵入を阻止し、ファンロックによる作動不良を確実に防止する室外ユニットの防雪カバーに関するものである。
【背景技術】
【０００２】
従来よりこの種のものでは、室外ユニットの通気口の外側両側及び上面を外方に突出して覆うと共に、正面は上部のみを覆い下部は開放した防雪カバーが備えられているものであった。
【先行技術文献】
【特許文献】
【０００３】
【特許文献１】特開平５−１２６３６４号公報
【発明の概要】
【発明が解決しようとする課題】
【０００４】
ところでこの従来のものでは、雪国で風が強い降雪時に、閉塞されていない通気口の正面からの強い風雪により、通気口から器具内に雪が入り込み、この雪が送風機の羽根と通気口の縁であるベルマウスとの間に溜まって凍り付くことで、ファンロックを起こし器具が作動不良となり動かなくなる不具合を有するものであった。
【課題を解決するための手段】
【０００５】
この発明は上記課題を解決するために、特にその構成を、圧縮機と空気熱交換器と送風機を内装した室外ユニットの該送風機の通気口には、外方に突出し上面及び正面は閉塞され、両側面は開口されると共に下面には連通口を形成した防雪カバーを備えたものに於いて、前記防雪カバーには両側面の開口及び下面の連通口を、先端側から徐々に外方に広がりながら途中まで覆うウイングをそれぞれ備え、正面視では全周が覆われているが、側面視では両側面及び下面のウイングと室外ユニットとの間に通気隙間が形成されているようにしたものである。
【発明の効果】
【０００６】
以上のようにこの発明によれば、上面は勿論、両側面及び下面はそれぞれのウイングによって正面視で覆われているので、通気口正面から強い風雪の吹き込みがあっても、通気口から室外ユニット内への雪の吹き込みを確実に防止出来るものであり、更にこの防雪カバーの両側と下面にはウイングによって、空気の流通隙間が確保されているので、熱交換用の空気の流通に支障をきたすことがなく、熱交換は常に良好に行われ能力が落ちるなどの心配が無く安心して使用出来るものである。
【図面の簡単な説明】
【０００７】
【図１】この発明の一実施形態の室外ユニットの概略構成図。
【図２】同室外ユニットに防雪カバーを付けた状態を示す斜視図。
【図３】同防雪カバー取り外し状態の斜視図。
【図４】同防雪カバー取り付け状態の要部正面図。
【図５】同防雪カバー取り付け状態の要部側面図。
【図６】同防雪カバーの底面図。
【図７】同防雪カバーの平面図。
【発明を実施するための形態】
【０００８】
次にこの発明の室外ユニットの防雪カバーの一実施形態を図面に基づいて説明する。
１はヒートポンプ式給湯機のヒートポンプユニットや空気調和機の室外機を構成する室外ユニットで、ここではヒートポンプユニットの場合を例にとり説明すれば、内方には、冷媒を圧縮する圧縮機２と、高温高圧の冷媒と貯湯タンク（図示せず）内の湯水とを熱交換する水熱交換器３と、水熱交換器３通過後の冷媒を減圧させる減圧器としての膨張弁４と、膨張弁４からの低温低圧の冷媒を蒸発させる蒸発器としての空気熱交換器５とを冷媒配管で環状に接続しており、この空気熱交換器５と室外の空気とを熱交換させて外気の熱を冷媒に吸熱させるプロペラファンから成る送風機６と、前記水熱交換器３の水側の循環回路７途中に設けられて貯湯タンクの湯水を循環させる循環ポンプ８とが内装されて構成している。この室外ユニット１には、二酸化炭素冷媒が充填され、高圧側で超臨界状態となるようにされている。
【０００９】
９は室外ユニット１の正面に形成された丸穴から成る送風機６の通気口で、外側全周を防雪カバー１０で覆われて風雪の侵入を阻止すると共に、熱交換後の排気がスムーズに行われるようにしたものであり、前記防雪カバー１０は、ランドセル形状で外方に突出し上面１１及び正面１２は閉塞され、両側面１３にはそれぞれ長方形状の開口１４が形成されており、下面１５には複数の長穴から構成された連通口１６が形成されて、通気と共に強度的にも強固となるような形状としているものである。
【００１０】
更に防雪カバー１０の両側面１３及び下面１５の外方には、正面１２の先端側から室外ユニット１に向かうに従い徐々に外方へ広がり、開口１４及び連通口１６の先端側から３分の１を覆った３枚のウイング１７が設けられ、防雪カバー１０を正面視すると上面１１と正面１２と３枚のウイング１７のみが見え、通気口９及び開口１４、連通口１６はこれらに隠されて見えないもので、又側面視では両側面１３のウイング１７及び下面１５のウイング１７と、室外ユニット１外枠との間には同一距離の通気隙間１８がそれぞれ形成され、開口１４や連通口１６と連通して排気の蛇行路を形成するものである。
【００１１】
次にこの一実施形態の作用について説明する。
今降雪地域で室外ユニット１を屋外に出して使用していると、風雪が通気口９から入り込みファンロックを引き起こす危険があるので、一実施形態で説明したような防雪カバー１０を室外ユニット１の通気口９に取り付けた場合は、防雪カバー１０を正面視すると上面１１と正面１２と３枚のウイング１７のみが見え、通気口９及び開口１４、連通口１６はこれらに隠されて見えないので、通気口９の正面から強力な風雪が吹き込んで来ても該通気口９に入り込むことは確実に防止されるものである。
【００１２】
又防雪カバー１０の斜め横方向からの風雪については、両側面１３の外方のウイング１７に風雪がぶつかり勢いが弱められてから回り込むので、通気口９に入り込むことはなくウイング１７により阻止されるものであり、更に真横からの風雪では、一部の風雪が両側面１３の外方のウイング１７にぶつかり勢いが弱められた風雪と、通気隙間１８を通る流速の速い風雪とが混ざり合って、反対の開口１４及び通気隙間１８を通って反対側に抜けるので、途中の通気口９に入り込む心配はないものである。
【００１３】
更に防雪カバー１０の下部に回り込んだ風雪は、上昇途中で同じように下面１５の外方のウイング１７に一部がぶつかり流速が抑えられると共に、連通口１６から防雪カバー１０内に流入した風雪は、そのまま上面１１にぶつかった後に両側面１３の開口１４から放出され、通気口９に流入することはないものである。
【００１４】
一方送風機６の駆動で通気口９から排出される熱交換後の空気は、防雪カバー１０の正面１２の裏側にぶつかった後に上下左右に分流され、左右に流通した空気流は各開口１４を抜けウイング１７に沿って蛇行しながら通気隙間１８と屋外に排出されるものであり、又下方に流通した空気流は下面１５の連通口１６を抜けてウイング１７に案内されらがら同じく蛇行して通気隙間１８から屋外に排出されるものであり、更に上方へ流通した空気流は抜け口がなく次の送風の影響も受けて、左右の開口１４を抜け通気隙間１８から屋外に排出されるものである。
【００１５】
従って、防雪カバー１０は正面視で通気口９を覆うと共に、開口１４と連通口１６とはウイング１７によって覆われているので、通気口９の正面から強い風雪が吹き付けたとしても、通気口への風雪の侵入を確実に阻止出来、更にこの吹きつけ角度が左右に変化しても、開口１４及び連通口１６へのウイング１７のオーバーラップにより、この吹き付けによる風雪の侵入も防止され、風雪の侵入による雪の凍結でファンロックが発生する不具合を解決し、常に良好な防雪が行えるようにしたものであり、しかも、この防雪カバー１０を付けたとしても、送風機６の熱交換のための送風は通気隙間１８から抜けるので何らの問題も発生せず、従来通りの熱交換効率を得ることが出来るものである。
【符号の説明】
【００１６】
１  室外ユニット
２  圧縮機
３  水熱交換器
５  空気熱交換器
６  送風機
９  通気口
１０  防雪カバー
１１  上面
１２  正面
１３  両側面
１４  開口
１５  下面
１６  連通口
１７  ウイング
１８  通気隙間
【図１】
2010266137.tif 000003
【図２】
2010266137.tif 000004
【図３】
2010266137.tif 000005
【図４】
2010266137.tif 000006
【図５】
2010266137.tif 000007
【図６】
2010266137.tif 000008
【図７】
2010266137.tif 000009